(57)【要約】【課題】導電性フィルムとバックカバーとを用いた電磁遮蔽（電磁シールド）構造において、電磁シールド効果を高めることができるプラズマディスプレイ装置を提供する。【解決手段】プラズマディスプレイパネルの前面を覆うように配置された導電性フィルムと、プラズマディスプレイパネルの後面側を覆う導電性のバックカバーと、プラズマディスプレイパネルの周囲を囲むように配置され、プラズマディスプレイパネルおよびバックカバーを支持する枠体とを備えるプラズマディスプレイ装置において、プラズマディスプレイパネルの前面の周囲にはみ出した導電性フィルムの縁部と、バックカバーとを電気的に直接接続する。これにより、バックカバーと導電性フィルムとを、枠体を介在させることなく直接的に接続することができ、接触抵抗を低減させて、電磁シールド効果を高めることができる。【選択図】図４
2011053447.tif 000002
【特許請求の範囲】
【請求項１】
プラズマディスプレイパネルと、
プラズマディスプレイパネルの前面よりも大きな面積を有し、プラズマディスプレイパネルの前面を覆うように配置された導電性フィルムと、
プラズマディスプレイパネルの後面側を覆う導電性のバックカバーと、
プラズマディスプレイパネルの周囲を囲むように配置され、プラズマディスプレイパネルおよびバックカバーを支持する枠体とを備え、
プラズマディスプレイパネルの前面の周囲にはみ出した導電性フィルムの縁部と、バックカバーとが電気的に直接接続されている、プラズマディスプレイ装置。
【請求項２】
導電性フィルムの縁部におけるバックカバーとの接続領域と、プラズマディスプレイパネルの前面への配置領域との間において、導電性フィルムに弛みが生じるように、導電性フィルムの配置領域に対して接続領域が位置決めされている、請求項１に記載のプラズマディスプレイ装置。
【請求項３】
枠体は、プラズマディスプレイパネルを支持する複数の支持部材を備え、
導電性フィルムの縁部において、複数の支持部材の配置に対応した複数の貫通孔が形成され、
それぞれの貫通孔に支持部材が貫通されることで、導電性フィルムに弛みが生じるように導電性フィルムの配置領域に対して接続領域が位置決めされている、請求項２に記載のプラズマディスプレイ装置。
【請求項４】
バックカバーは、導電性フィルムの縁部における接続領域を押圧する弾性部を備え、
弾性部により導電性フィルムが枠体に対して押圧されて保持されるとともに、弾性部と導電性フィルムとが電気的に直接接続される、請求項１から３のいずれか１つに記載のプラズマディスプレイ装置。
【請求項５】
バックカバーは枠体に固定され、枠体へのバックカバーの固定位置と、導電性フィルムとバックカバーとの接続位置とが互いに異なる、請求項１から４のいずれか１つに記載のプラズマディスプレイ装置。
【請求項６】
枠体が非導電性材料にて形成されている、請求項１から５のいずれか１つに記載のプラズマディスプレイ装置。
【発明の詳細な説明】
【技術分野】
【０００１】
本発明は、導電性フィルムと導電性のバックカバーとを用いた電磁遮蔽（電磁シールド）構造を備えるプラズマディスプレイ装置に関する。
【背景技術】
【０００２】
従来、このようなプラズマディスプレイ装置においては、電磁シールド効果を有する電磁遮蔽フィルタ（導電性フィルム）を用いた様々な形態の電磁遮蔽構造が採用されている（例えば、特許文献１参照）。ここで、従来の一般的な電磁遮蔽構造について、図１〜図３の模式図を用いて説明する。
【０００３】
図１は、従来のプラズマディスプレイ装置における電磁遮蔽構造を示す模式断面図である。図１に示すように、プラズマディスプレイ装置３０は、プラズマディスプレイパネル（以降、「ＰＤＰ」とする。）２１と、ＰＤＰ２１の前面（映像等の表示面）を覆うように貼り付けられた電磁遮蔽フィルタ２３と、ＰＤＰ２１の後面を覆う金属性のバックカバー２６と、ＰＤＰ２１の周囲を囲むように配置され、ＰＤＰ２１およびバックカバー２６を支持するとともに、プラズマディスプレイ装置３０における前面側の枠状パネル筐体である金属製の枠体２７とを備えている。ＰＤＰ２１は、その後面側よりシャーシ（例えば、アルミニウム製）２２により保持されており、シャーシ２２には、ＰＤＰ２１に映像を表示させるための制御回路を有する複数の基板２８が保持されている。さらに、シャーシ２２は、その周縁部に形成された複数の支持部２２ａにおいて、ビス締め等の手段により枠体２７に支持されている。また、それぞれの基板２８とＰＤＰ２１は配線２５で接続されており、配線２５を通じて基板２８からＰＤＰ２１にデータが送信されることで、ＰＤＰ２１に映像等を表示させることができる。
【０００４】
電磁遮蔽フィルタ２３としては、例えば、ベースフィルム上に銅などの導電メッシュを一体形成した構造のものが用いられる。図２（平面図）および図３（断面図）に示すように、電磁遮蔽フィルタ２３は、導電メッシュ領域Ｒ３１と、導電メッシュ領域Ｒ３１の周縁に形成された接続領域Ｒ３２とを有する。ＰＤＰ２１に表示される映像は、導電メッシュ領域Ｒ３１を通して、装置外部より視認可能とされている。電磁遮蔽フィルタ２３の接続領域Ｒ３２は、柔らかい導電材料により形成されたガスケット２４を介して枠体２７に電気的に接続されている。また、バックカバー２６は、複数のビス２９を用いて枠体２７に固定されるとともに、両者が電気的に接続されている。
【０００５】
このように、プラズマディスプレイ装置３０において、電磁遮蔽フィルタ２３、バックカバー２６、枠体２７、およびガスケット２４が電気的に接続された状態にて、ＰＤＰ２１および基板２８を覆う電磁遮蔽構造が形成されている。
【先行技術文献】
【特許文献】
【０００６】
【特許文献１】特開平１１−３０５６７６号公報
【発明の概要】
【発明が解決しようとする課題】
【０００７】
このような従来の電磁遮蔽構造では、電磁遮蔽フィルタ２３とバックカバー２６との導通が、枠体２７およびガスケット２４を介して行われており、さらにバックカバー２６が枠体２７にビス２９にて固定された構造が採用されている。このような構造では、ビス締め箇所ではバックカバー２６と枠体２７とを確実に導通させることができるが、ビス締め箇所以外の部分ではバックカバー２６と枠体２７との間に隙間等が生じる場合があり、部分的に導通が確保できない箇所が生じることになる。したがって、従来の電磁遮蔽構造では、部分的に導通が確保できない箇所の存在により電磁波の漏洩が生じるおそれがあり、高い電磁シールド効果を得ることができないという問題がある。近年、ＰＤＰの薄型化および大型化に伴って、このような問題は益々顕著になる傾向にある。
【０００８】
また、導電メッシュを一体形成した電磁遮蔽フィルタ２３を、ＰＤＰ２１の前面に貼り付けるとともに、ガスケット２４を介して、電磁遮蔽フィルタ２３の導電接続領域Ｒ３２を剛体である枠体２７に接続する構成では、ガラスで形成されたＰＤＰ２１に応力がかかり、ガラスが割れるおそれがあるという問題もある。
【０００９】
従って、本発明の目的は、上記問題を解決することにあって、導電性フィルムとバックカバーとを用いた電磁遮蔽（電磁シールド）構造において、電磁シールド効果を高めることができるプラズマディスプレイ装置を提供することにある。
【課題を解決するための手段】
【００１０】
上記目的を達成するために、本発明は以下のように構成する。
【００１１】
本発明の第１態様によれば、プラズマディスプレイパネルと、プラズマディスプレイパネルの前面よりも大きな面積を有し、プラズマディスプレイパネルの前面を覆うように配置された導電性フィルムと、プラズマディスプレイパネルの後面側を覆う導電性のバックカバーと、プラズマディスプレイパネルの周囲を囲むように配置され、プラズマディスプレイパネルおよびバックカバーを支持する枠体とを備え、プラズマディスプレイパネルの前面の周囲にはみ出した導電性フィルムの縁部と、バックカバーとが電気的に直接接続されている、プラズマディスプレイ装置を提供する。
【００１２】
本発明の第２態様によれば、導電性フィルムの縁部におけるバックカバーとの接続領域と、プラズマディスプレイパネルの前面への配置領域との間において、導電性フィルムに弛みが生じるように、導電性フィルムの配置領域に対して接続領域が位置決めされている、第１態様に記載のプラズマディスプレイ装置を提供する。
【００１３】
本発明の第３態様によれば、枠体は、プラズマディスプレイパネルを支持する複数の支持部材を備え、導電性フィルムの縁部において、複数の支持部材の配置に対応した複数の貫通孔が形成され、それぞれの貫通孔に支持部材が貫通されることで、導電性フィルムに弛みが生じるように導電性フィルムの配置領域に対して接続領域が位置決めされている、第２態様に記載のプラズマディスプレイ装置を提供する。
【００１４】
本発明の第４態様によれば、バックカバーは、導電性フィルムの縁部における接続領域を押圧する弾性部を備え、弾性部により導電性フィルムが枠体に対して押圧されて保持されるとともに、弾性部と導電性フィルムとが電気的に直接接続される、第１態様から第３態様のいずれか１つに記載のプラズマディスプレイ装置を提供する。
【００１５】
本発明の第５態様によれば、バックカバーは枠体に固定され、枠体へのバックカバーの固定位置と、導電性フィルムとバックカバーとの接続位置とが互いに異なる、第１態様から第４態様のいずれか１つに記載のプラズマディスプレイ装置を提供する。
【００１６】
本発明の第６態様によれば、枠体が非導電性材料にて形成されている、第１態様から第５態様のいずれか１つに記載のプラズマディスプレイ装置を提供する。
【発明の効果】
【００１７】
本発明によれば、プラズマディスプレイ装置において、ＰＤＰの前面の周囲にはみ出した導電性フィルムの縁部と、バックカバーとが、枠体などを介することなく、直接、電気的に接続された構造が採用されている。そのため、枠体を間に介して接続する構造に比して、導電性フィルムとバックカバーとの電気的な接続を確実に行うことができる。したがって、プラズマディスプレイ装置において、電磁シールド効果の高い電磁遮蔽構造を提供することができる。
【図面の簡単な説明】
【００１８】
【図１】従来のプラズマディスプレイ装置における電磁遮蔽構造の模式断面図
【図２】従来の電磁遮蔽構造における電磁遮蔽フィルタの平面図
【図３】従来の電磁遮蔽構造における電磁遮蔽フィルタの断面図
【図４】本発明の一の実施形態にかかるプラズマディスプレイ装置における電磁遮蔽構造の模式断面図
【図５】本発明の実施形態の電磁遮蔽構造における電磁遮蔽フィルタの平面図
【図６】本発明の実施形態の電磁遮蔽構造における電磁遮蔽フィルタの断面図
【発明を実施するための形態】
【００１９】
以下に、本発明にかかる実施の形態を図面に基づいて詳細に説明する。
【００２０】
図４は、本発明の一の実施形態にかかるプラズマディスプレイ装置における電磁遮蔽構造を示す模式断面図である。
【００２１】
図４に示すように、プラズマディスプレイ装置１０は、ＰＤＰ１と、ＰＤＰ１の前面（映像等の表示面）を覆うように貼り付けられた電磁遮蔽フィルタ（導電性フィルタの一例である）３と、ＰＤＰ１の後面を覆う金属製（導電性）のバックカバー６と、ＰＤＰ１の周囲を囲むように配置され、ＰＤＰ１およびバックカバー６とを支持するとともに、プラズマディスプレイ装置１０における前面側の枠状パネル筐体である金属製の枠体７とを備えている。ＰＤＰ１は、その後面側よりシャーシ（例えば、アルミニウム製）２により保持されており、シャーシ２には、ＰＤＰ１に映像を表示させるための制御回路を有する複数の基板８が保持されている。また、それぞれの基板８とＰＤＰ１とは配線５で接続されており、配線５を通じて基板８からＰＤＰ１にデータが送信されることでＰＤＰ１に映像等を表示させることができる。
【００２２】
電磁遮蔽フィルタ３は、例えば、ポリエステル等のベースフィルム上に銅などの導電メッシュを貼り合わせて一体形成した構造のものが用いられる。具体的には、図５（平面図）および図６（断面図）に示すように、電磁遮蔽フィルタ３におけるＰＤＰ１の前面への貼付領域（配置領域）Ｒ１は、導電メッシュを含んで形成されており、ＰＤＰ１にて表示された映像が導電メッシュを通して装置外部より視認可能とされている。また、この貼付領域Ｒ１を囲む部分が、電磁遮蔽フィルタ３の縁部３ａとなっている。この縁部３ａは、ＰＤＰ１の前面に貼り付けられることなく、ＰＤＰ１の前面の周囲外側にはみ出されて、平面視枠状に延在する部分となっている。すなわち、電磁遮蔽フィルタ３は、ＰＤＰ１の前面よりも一回り大きなものが用いられており、ＰＤＰ１の前面のそれぞれの辺よりも外側に電磁遮蔽フィルタ３の縁部３ａがはみ出している。この縁部３ａは、導電メッシュではなく、例えば金属箔を含んで形成されている。なお、縁部３ａの金属箔と、貼付領域Ｒ１の導電メッシュとは互いに電気的に接続されている。
【００２３】
図４に示すように枠体７は、側面パネル７ａと正面パネル７ｂとが一体的に形成された大略Ｌ字形状の断面を有するように形成されている。枠体７の正面パネル７ｂの内側には、ＰＤＰ１の厚み方向の後面側に向かって突出するように複数のボス（支持部材の一例）７ｃが形成されており、これらのボス７ｃは枠体７の周囲全体に沿って配列されている。また、シャーシ２の周縁部には、外側に向かって突出するように複数の支持部２ａが形成されている。図４に示すように、シャーシ２のそれぞれの支持部２ａが、枠体７のそれぞれのボス７ｃに、図示しないビス締め等の手段により固定されることで、ＰＤＰ１を保持した状態のシャーシ２が枠体７により支持されている。なお、このような支持状態において、ＰＤＰ１と枠体７とは互いに接触しない状態にある。
【００２４】
図４に示すように、バックカバー６は、ＰＤＰ１およびシャーシ２の後面側に配置された後面側カバー部６ａと、ＰＤＰ１およびシャーシ２の側面側に配置された４枚の側面側カバー部６ｂとを備える。後面側カバー部６ａおよび４枚の側面側カバー部６ｂは、導電性材料である金属材料により形成されており、それぞれのカバー部６ａ、６ｂが一体的な状態とされてバックカバー６が構成されている。側面側カバー部６ｂの外周には、固定用突出部（桟）６ｃが形成されており、この固定用突出部６ｃが枠体７の側面パネル７ａに、例えばビス９を用いて固定されることにより、バックカバー６が枠体７に固定されている。さらに、バックカバー６の側面側カバー部６ｂの先端には、弾性部の一例である板バネ６ｄが形成されている。バックカバー６が枠体７に固定された状態にて、板バネ６ｄが枠体７の正面パネル７ｂの内側表面をその弾性力にて押圧可能なように、固定用突出部６ｃおよび板バネ６ｄの形成位置が設定されている。
【００２５】
図５および図６に示すように、電磁遮蔽フィルタ３の縁部３ａには、貼付領域Ｒ１の外周に沿って複数の貫通孔３ｂが形成されており、これらの貫通孔３ｂは、枠体７のそれぞれのボス７ｃの配置と合致するように形成されている。それぞれの貫通孔３ｂにボス７ｃを貫通させることにより、枠体７に対して電磁遮蔽フィルタ３の縁部３ａが位置決めされる。このように貫通孔３ｂは、位置決め用孔として使用される。
【００２６】
また、電磁遮蔽フィルタ３の縁部３ａにおけるそれぞれの貫通孔３ｂの形成位置よりも外側の領域（平面視枠状の領域）が、バックカバー６と直接、電気的に接続される接続領域Ｒ２となっている。具体的には、それぞれの貫通孔３ｂにボス７ｃを貫通させて位置決めされた状態の電磁遮蔽フィルタ３の縁部３ａにおいて、バックカバー６の側面側カバー部６ｂの先端に形成された板バネ６ｄと枠状の接続領域Ｒ２とが直接、電気的に接続されている。さらに、枠体７の正面パネル７ｂに対して電磁遮蔽フィルタ３の接続領域Ｒ２が板バネ６ｄの弾性力により押圧されることで、正面パネル７ｂと板バネ６ｄとの間で電磁遮蔽フィルタ３が保持されて、電気的な接続状態が保持される。
【００２７】
電磁遮蔽フィルタ３の縁部３ａは、金属箔部分として形成されているため、バックカバー６の板バネ６ｄとの電気的接続状態を良好なものにすることができる。また、電気的接続状態を良好にするという観点からは、４枚の側面側カバー部６ｂのそれぞれの先端に板バネ６ｄを連続的に形成し、平面視枠状の板バネ６ｄを平面視枠状の接続領域Ｒ２に接触させるようにすることが好ましい。また、バックカバー６の板バネ６ｄと、電磁遮蔽フィルタ３の接続領域Ｒ２との接続部分において、両者の接触面積をより大きく確保できるように、板バネ６ｄ等の形状を設計することが望ましい。例えば、板バネ６ｄの接続部分に凹凸部を設けて、両者の接触面積を増大させることも効果的である。
【００２８】
また、図４に示すように、電磁遮蔽フィルタ３が枠体７に対して位置決めされ、かつ、電磁遮蔽フィルタ３がバックカバー６と電気的に接続された状態において、電磁遮蔽フィルタ３の縁部３ａに弛み（若しくは、「たわみ」または「あそび」）が生じるように、それぞれの貫通孔３ｂの形成位置が設定されている。すなわち、電磁遮蔽フィルタ３の貼付領域Ｒ１と接続領域Ｒ２との間におけるフィルタ部分には、弛み部分３ｃが意図的に設けられており、この弛み部分３ｃの存在により、落下や振動等による電磁遮蔽フィルタ３の破損が防止される。なお、図５および図６は、電磁遮蔽フィルタ３の単体の平面図および断面図であり、弛み部分３ｃが存在しない状態にある。
【００２９】
このような電磁遮蔽構造によれば、枠体７を介在させることなく、電磁遮蔽フィルタ３をバックカバー６に直接に接続することができる。また、電磁遮蔽フィルタ３の金属箔部分である縁部３ａが、バックカバー６に形成された板バネ６ｄの弾性力でもって押圧されながら、板バネ６ｄに直接的に接続されるため、従来の構成に比して接触抵抗を低減することができる。また、平面視枠状の板バネ６ｄを平面視枠状の電磁遮蔽フィルタ３の縁部３ａに押圧させることで、両者を隙間なく接続することができ、電磁波の漏洩が低減された電磁遮蔽構造を実現できる。
【００３０】
また、電磁遮蔽フィルタ３の貼付領域Ｒ１と接続領域Ｒ２との間に弛み部分３ｃが設けられていることにより、落下や振動等による電磁遮蔽フィルタ３の破損を防止することができる。
【００３１】
さらに、バックカバー６と電磁遮蔽フィルタ３とを直接接続する構成が採用されているため、従来の構造にて用いられているガスケット等の柔らかい導電材料を不要とでき、電磁遮蔽構造を簡素かつ安価な構造にできる。また、電磁遮蔽構造を薄い構造とすることもできる。
【００３２】
また、ＰＤＰ１の前面には、電磁遮蔽フィルタ３以外の部材は配置されないため、ＰＤＰ１の前面に他の部材からの力が加わらず、応力付加によりＰＤＰ１が損傷する心配を無くすことができる。
【００３３】
なお、上述の説明では、電磁遮蔽構造において、枠体７が導電性材料にて形成されている場合を一例として説明したが、このような場合に代えて、非導電性材料により形成されるような場合であっても良い。電磁遮蔽フィルタ３とバックカバー６とが直接電気的に接続された構造が採用されているため、枠体７を導電性材料以外の材料にて形成することが可能となる。したがって、例えば、加工が簡単な部材で枠体を形成すれば、製造コストを低減することができ、また、特殊な材料にて枠体を形成することで、意匠性に優れた装置を提供することができる。
【００３４】
また、バックカバー６は、導電性材料（例えば金属材料）にて形成されていることが好ましいが、電磁シールド効果を発揮可能な限度において、部分的に絶縁性材料が用いられるような場合であっても良い。例えば、電気的安全性の観点から、バックカバー６の外側表面に絶縁性の塗装を施すこともできる。この場合、バックカバー６における電磁遮蔽フィルタ３との接続部分、すなわち、板バネ６ｄの部分は、導電性としておく必要がある。
【００３５】
また、上記説明では、バックカバー６に板バネ６ｄが設けられる場合について説明したが、本実施形態はこのような場合についてのみ限定されるものではない。バックカバー６と電磁遮蔽フィルタ３とは、電気的に直接接続されていれば良く、板バネ６ｄが設けられていない場合であっても良い。ただし、板バネ６ｄを設けることにより、両者の接続を保持して安定させることができる。
【００３６】
なお、上記様々な実施形態のうちの任意の実施形態を適宜組み合わせることにより、それぞれの有する効果を奏するようにすることができる。
【符号の説明】
【００３７】
１  ＰＤＰ（プラズマディスプレイパネル）
２  シャーシ
３  電磁遮蔽フィルタ
３ａ  縁部
３ｂ  貫通孔
３ｃ  弛み部分
５  配線
６  バックカバー
６ａ  後面側カバー部
６ｂ  側面側カバー部
６ｃ  固定用突出部
６ｄ  板バネ
７  枠体
７ａ  側面パネル
７ｂ  正面パネル
７ｃ  ボス
８  基板
９  ビス
１０  プラズマディスプレイ装置
Ｒ１  貼付領域
Ｒ２  接続領域
【図１】
2011053447.tif 000003
【図２】
2011053447.tif 000004
【図３】
2011053447.tif 000005
【図４】
2011053447.tif 000006
【図５】
2011053447.tif 000007
【図６】
2011053447.tif 000008